(57)【要約】【課題】  良好な位置分解能及び高い時間分解能を有し、ガンマ線に対する弁別能力に優れた中性子検出器及び中性子検出方法を提供する。  【解決手段】  厚さ方向に貫通する複数の開口部１２を有するとともに、これら複数の開口部１２内に液体シンチレータを充填したキャピラリープレート１１と、イメージング検出器１２とから中性子検出器１０を構成し、検出すべき中性子をキャピラリープレート１１の開口部１２内に導入し、前記液体シンチレータと反応させてシンチレーション光を生成させ、このシンチレーション光を計測することによって、前記中性子を検出する。【選択図】図１
2005077377.tif 000002
【特許請求の範囲】
【請求項１】
厚さ方向に貫通する複数の開口部を有するキャピラリープレートと、
前記キャピラリープレートの前記複数の開口部内に充填された液体シンチレータと、
を具えることを特徴とする、中性子検出器。
【請求項２】
前記キャピラリープレートの、前記開口部の直径が６μｍ〜１００μｍであることを特徴とする、請求項１に記載の中性子検出器。
【請求項３】
前記キャピラリープレートの、前記開口部の配置密度が６０個／ｍｍ２〜２００００個／ｍｍ２であることを特徴とする、請求項１又は２に記載の中性子検出器。
【請求項４】
前記キャピラリープレートの厚さが０．８ｍｍ〜２０ｍｍであることを特徴とする、請求項１〜３のいずれか一に記載の中性子検出器。
【請求項５】
前記液体シンチレータは、前記キャピラリープレートの前記複数の開口部内に毛細管現象を利用して充填したことを特徴とする、請求項１〜４のいずれか一に記載の中性子検出器。
【請求項６】
前記液体シンチレータは、前記キャピラリープレートの、いずれか一方の主面のみを液体シンチレータ溶液中に浸漬させ、前記キャピラリープレートの前記複数の開口部内に充填したことを特徴とする、請求項５に記載の中性子検出器。
【請求項７】
前記液体シンチレータは、光学的セメントで封入されたことを特徴とする、請求項１〜６のいずれか一に記載の中性子検出器。
【請求項８】
前記液体シンチレータは、光学的フィルムで封入されたことを特徴とする、請求項１〜６のいずれか一に記載の中性子検出器。
【請求項９】
前記キャピラリープレートの、中性子入射側の主面に反射材を設けたことを特徴とする、請求項１〜８のいずれか一に記載の中性子検出器。
【請求項１０】
前記キャピラリープレートの、前記中性子入射側と反対側の主面と接触するようにして、イメージング検出器を具えることを特徴とする、請求項１〜９のいずれか一に記載の中性子検出器。
【請求項１１】
前記キャピラリープレートの、前記中性子入射側と反対側の主面と接触するようにして、光電子増倍管を具えることを特徴とする、請求項１〜９のいずれか一に記載の中性子検出器。
【請求項１２】
厚さ方向に貫通する複数の開口部を有するキャピラリープレートを準備する工程と、
前記キャピラリープレートの前記複数の開口部内に液体シンチレータを充填する工程と、
前記キャピラリープレートに対して中性子を導入し、前記液体シンチレータと反応させ、シンチレーション光を生成する工程と、
前記シンチレーション光を計測することにより、前記キャピラリープレートに導入された前記中性子を検出する工程と、
を具えることを特徴とする、中性子検出方法。
【請求項１３】
前記キャピラリープレートの、前記開口部の直径が６μｍ〜１００μｍであることを特徴とする、請求項１２に記載の中性子検出方法。
【請求項１４】
前記キャピラリープレートの、前記開口部の配置密度が６０個／ｍｍ２〜２００００個／ｍｍ２であることを特徴とする、請求項１２又は１３に記載の中性子検出方法。
【請求項１５】
前記キャピラリープレートの厚さが０．８ｍｍ〜２０ｍｍであることを特徴とする、請求項１２〜１４のいずれか一に記載の中性子検出方法。
【請求項１６】
前記液体シンチレータは、前記キャピラリープレートの前記複数の開口部内に毛細管現象を利用して充填することを特徴とする、請求項１２〜１５のいずれか一に記載の中性子検出方法。
【請求項１７】
前記液体シンチレータは、前記キャピラリープレートの、いずれか一方の主面のみを液体シンチレータ溶液中に浸漬させ、前記キャピラリープレートの前記複数の開口部内に充填することを特徴とする、請求項１６に記載の中性子検出方法。
【請求項１８】
前記液体シンチレータは、光学的セメントで封入することを特徴とする、請求項１２〜１７のいずれか一に記載の中性子検出方法。
【請求項１９】
前記液体シンチレータは、光学的フィルムで封入することを特徴とする、請求項１２〜１７のいずれか一に記載の中性子検出方法。
【請求項２０】
前記キャピラリープレートの、中性子入射側の主面に反射材を設ける工程を具えることを特徴とする、請求項１２〜１９のいずれか一に記載の中性子検出方法。
【請求項２１】
前記シンチレーション光は、前記キャピラリープレートの、前記中性子入射側と反対側の主面と接触するようにして設けた、イメージング検出器によって検出することを特徴とする、請求項１２〜２０のいずれか一に記載の中性子検出方法。
【請求項２２】
前記シンチレーション光は、前記キャピラリープレートの、前記中性子入射側と反対側の主面と接触するようにして設けた、光電子増倍管を通じて、その数をカウントすることを特徴とする、請求項１２〜２０のいずれか一に記載の中性子検出方法。
【発明の詳細な説明】
【技術分野】
【０００１】
本発明は、中性子検出器及び中性子検出方法に関する。
【背景技術】
【０００２】
物質の構造を解明する方法として、Ｘ線や中性子線は大きな威力を発揮する。例えばＸ線や中性子線を物質に照射し、その散乱Ｘ線や中性子線を２次元のイメージング検出器で測定すれば、その物質の構造が解明できる。生物の構造解析を行う場合は、生物が主に水素等の軽い元素で出来ているため、中性子は良く散乱される。しかしＸ線は相互作用を起こしにくい。そのため、生物分野では、中性子線の方が良く使われており、高い感度を持った中性子のイメージング検出器が求められている。
【０００３】
Ｘ線のイメージング検出器としては、ガスマイクロストリップ検出器等を初とする様々な良い検出器が現在存在するが、中性子のイメージング検出器に関しては、まだまだ発展の途中である。確かに現在までに中性子の検出器としてリチウムガラス（セリウムドーブ）のシンチレションファイバーや３Ｈｅのガスカウンター等が開発されており、それらは様々な良い特性を持っているが、熱中性子検出器としての全ての条件を満たしているわけではない。
【０００４】
リチウムガラスの場合は、ファイバーの径が数１００μｍのものが現在製作でき、さらに時間分解能が１００ｎｓｅｃ以下という良い値を示す。しかしながら、リチウムガラスの密度が２．５ｇ／ｃｍ３と大きいため、中性子とガンマ線の弁別能力がそれほど高くない。一方３Ｈｅ検出器の場合には、位置分解能は１００μｍ程度のものが存在し、気体であるためガンマ線にはほとんど感度が無く、中性子だけを選択的に捕まえられるという利点を持っている。しかしガスカウンターであるため時間分解能を数μｓｅｃ以下にする事は非常に難しい。
【０００５】
この様に中性子のイメージング検出器に要求される良い位置分解能、高い時間分解能、ガンマ線のバックグランドの高いリジェクションエフィシエンシーの３つを同時に満たす検出器はまだ存在しないのである。
【発明の開示】
【発明が解決しようとする課題】
【０００６】
本発明は、良好な位置分解能及び高い時間分解能を有し、ガンマ線に対する弁別能力に優れた中性子検出器及び中性子検出方法を提供することを目的とする。
【課題を解決するための手段】
【０００７】
上記目的を達成すべく、本発明は、
厚さ方向に貫通する複数の開口部を有するキャピラリープレートと、
前記キャピラリープレートの前記複数の開口部内に充填された液体シンチレータと、
を具えることを特徴とする、中性子検出器に関する。
【０００８】
また、本発明は、
厚さ方向に貫通する複数の開口部を有するキャピラリープレートを準備する工程と、
前記キャピラリープレートの前記複数の開口部内に液体シンチレータを充填する工程と、
前記キャピラリープレートに対して中性子を導入し、前記液体シンチレータと反応させ、シンチレーション光を生成する工程と、
前記シンチレーション光を計測することにより、前記キャピラリープレートに導入された前記中性子を検出する工程と、
を具えることを特徴とする、中性子検出方法に関する。
【０００９】
本発明は、厚さ方向に貫通する複数の開口部を有するキャピラリープレート内に、中性子に対して高い反応性を示す液体シンチレータを充填することにより、中性子検出器を構成している。そして、前記キャピラリープレートの前記複数の開口部内に中性子を導入し、前記中性子を前記開口部の壁面などで反射させて前記開口部内に閉じ込めるようにするとともに、前記開口部内に充填された液体シンチレータと反応させ、シンチレーション光を発するようにしている。したがって、このシンチレーション光を計測することにより、前記中性子を検出できるようになる。
【００１０】
中性子検出に対する位置分解能は、前記中性子検出器を構成する前記キャピラリープレートの開口部の直径などに起因する。したがって、前記開口部の直径などを十分に小さくすることにより、中性子検出において高い位置分解能を呈するようになる。また、本発明では液体シンチレータとの反応を通じて中性子を検出するようにしているので、高い時間分解能を呈する。さらに、前記液体シンチレータの種類などを適宜に選択することにより、ガンマ線を含むことなく、中性子のみを選択的に検出することができるようになる。
【発明を実施するための最良の形態】
【００１１】
以下、本発明を発明の実施の形態に基づいて詳細に説明する。
図１は、本発明の中性子検出器の一例を示す外観図であり、図２は、図１に示す中性子検出器の、キャピラリープレートを拡大して示す図であり、図３は、図２に示すキャピラリープレートの一開口部を拡大して示す図である。
【００１２】
図１に示すように、本発明の中性子検出器１０は、キャピラリープレート１１と、キャピラリープレート１１の裏面１１Ｂ側と接触するように設けられたイメージング検出器１２とを具えている。図２に示すように、キャピラリープレート１１には、厚さ方向に貫通した複数の開口部１２が形成されている。開口部１２内には所定の液体シンチレータが充填されている。また、前記液体シンチレータは光学的セメント１３で封入されている。さらに、キャピラリープレート１１の、中性子入射側である主面１１Ａ上には反射材１４が形成されている。
【００１３】
なお、前記液体シンチレータを封入するに際しては、光学的セメントの代わりに光学的フィルムを用いることもできる。
【００１４】
前記液シンチレータは、ガドリニウムやボロンなどをドープした新水性の液体シンチレータや、同じくガドリニウムやボロンなどをドープした疎水性のシンチレータなどから構成することができる。
【００１５】
イメージング検出器１２は、例えば電子ボンバードＣＣＤカメラやマイクロチャンネルプレートなどから構成することができる。
【００１６】
図１に示す中性子検出器１０を用いた中性子検出は以下のようにして行われる。検出すべき中性子は、中性子検出器１０におけるキャピラリープレート１１の主面１１Ａ側に導入され、それぞれキャピラリープレート１１内の開口部１２内に導入される。すると、導入された前記中性子は開口部１２の側壁１２Ａ及びキャピラリープレート１１の主面１１Ａ側に設けられた反射材１４で反射されて、開口部１２内に閉じ込められるとともに、液体シンチレータと反応することによってシンチレーション光を生成するようになる。
【００１７】
得られたシンチレーション光は、開口部１２内、すなわちキャピラリープレート１１内から下方へ取り出されるが、キャピラリープレート１１の裏面側にはイメージング検出器１２が設けられているので、前記シンチレーション光はイメージング検出器１２においてイメージングされる。すなわち、図１に示す中性子検出器１０において、目的とする中性子はイメージとして検出されるようになる。
【００１８】
また、イメージング検出器１２の代わりに光電子増倍管などを設ければ、検出した中性子をカウントできるようになる。
【００１９】
このように、図１に示す中性子検出器１０を用いた場合、中性子検出に対する位置分解能は、中性子検出器１０を構成するキャピラリープレート１１の開口部１２の直径などに起因する。したがって、開口部１２の直径などを十分に小さくすることにより、中性子検出において高い位置分解能を呈するようになる。また、液体シンチレータとの反応を通じて中性子を検出するようにしているので、高い時間分解能を呈する。さらに、前記液体シンチレータを、上述した親水性及び疎水性の液体シンチレータから構成することにより、ガンマ線を含むことなく、中性子のみを選択的に検出することができるようになる。
【００２０】
キャピラリープレート１１における開口部１２の直径は特に限定されるものではないが、好ましくは６μｍ〜１００μｍに設定する。これによって、検出すべき中性子を狭小な開口部内に閉じ込めることができるようになるので、中性子検出の際の位置分解能を十分に向上させることができるようになる。
【００２１】
また、キャピラリープレート１１における開口部１２の配置密度は特に限定されるものではないが、好ましくは６０個／ｍｍ２〜２００００個／ｍｍ２に設定する。この場合においても、所定の検出領域において、検出すべき中性子を狭小な開口部内に閉じ込めることができるようになるので、中性子検出の際の位置分解能を十分に向上させることができるようになる。
【００２２】
さらに、開口部１２の長さ、すなわちキャピラリープレート１１の厚さＴは０．８ｍｍ〜２０ｍｍであることが好ましい。これによって、開口部１２内において、中性子と液体シンチレータとの反応を十分に行わせることができ、十分な強度のシンチレーション光を得ることができるようになる。
【００２３】
なお、図１に示す中性子検出器１０において、キャピラリープレート１１を構成する開口部１２は、その直径がμｍオーダ程度と極めて微小であるため、液体シンチレータを充填するに際して困難を伴う。しかしながら、上述したような液体シンチレータ溶液を所定の容器内に入れておき、キャピラリープレート１１を前記容器内の液体シンチレータ溶液に浸漬させることにより、前記液体シンチレータ溶液は毛細管現象によって前記キャピラリープレート１１の開口部１２内に入り込むようになる。したがって、このような毛細管現象を利用すれば、目的とする液体シンチレータをキャピラリープレート１１の開口部１２内に簡易に充填できるようになる。
【００２４】
この場合、キャピラリープレート１１の全体を前記液体シンチレータ溶液に浸漬するようにすると、キャピラリープレート１１に設けられた複数の開口部１２の全体に亘って均一に液体シンチレータを充填することは困難となる。しかしながら、キャピラリープレート１１の主面１１Ａ及び裏面１１Ｂのいずれか一方のみが前記液体シンチレータ溶液中に浸漬するようにすれば、複数の開口部１２の全体に亘って均一に液体シンチレータを簡易に充填できるようになる。
【実施例】
【００２５】
図１に示すような中性子検出器を用いて中性子の検出を試みた。なお、以下に示す例では、イメージング検出器の代わりに光電子増倍管を用い、検出した中性子をカウントするようにした。なお、液体シンチレータとしてはガドリニウムを２ｍｏｌ％の割合で含有した疎水性液体シンチレータから構成した。また、キャピラリープレート１１の開口部の直径は１００μｍとし、配置密度は６０個／ｍｍ２とした。さらに、キャピラリープレート１１の直径Ｄは２ｃｍとし、厚さＴは０．８ｍｍとした。
【００２６】
図４は、中性子検出の際のバックグランドであり、図５は、キャピラリープレートの開口部内に上述した液体シンチレータを充填した場合のカウント数を示すグラフであり、図６は、キャピラリープレートの開口部内に上述した液体シンチレータを充填しない場合のカウント数を示すグラフである。
【００２７】
図４〜図６から明らかなように、キャピラリープレートの開口部内に所定の液体シンチレータを充填して本発明の中性子検出器を構成することにより、特に１０００ｅＶ以下の低エネルギー領域で多くの中性子が検出されていることが確認された。
【００２８】
以上、具体例を挙げながら発明の実施の形態に基づいて本発明を詳細に説明してきたが、本発明は上記内容に限定されるものではなく、本発明の範疇を逸脱しない限りにおいて、あらゆる変形や変更が可能である。
【産業上の利用可能性】
【００２９】
以上説明したように、本発明によれば、良好な位置分解能及び高い時間分解能を有し、ガンマ線に対する弁別能力に優れた中性子検出器及び中性子検出方法を提供することができる。
【図面の簡単な説明】
【００３０】
【図１】本発明の中性子検出器の一例を示す外観図である。
【図２】図１に示す中性子検出器の、キャピラリープレートを拡大して示す図である。
【図３】図２に示すキャピラリープレートの一開口部を拡大して示す図である。
【図４】本発明の中性子検出器を用いて中性子検出を行う際のバックグランドを示すグラフである。
【図５】本発明の中性子検出器を用いて中性子検出を行った際に得た、カウント数を示すグラフである。
【図６】本発明の中性子検出器において、キャピラリープレートの開口部内に液体シンチレータを充填せずに中性子検出を行った際に得た、カウント数を示すグラフである。
【符号の説明】
【００３１】
１０  中性子検出器
１１  キャピラリープレート
１２  イメージング検出器
１３  光学的セメント
１４  反射材
【図１】
2005077377.tif 000003
【図２】
2005077377.tif 000004
【図３】
2005077377.tif 000005
【図４】
2005077377.tif 000006
【図５】
2005077377.tif 000007
【図６】
2005077377.tif 000008